(57)【要約】  ＤＶＤなどの光ディスクの記録データは、ビデオコンテンツデータとナビゲーションデータを有している。ボタンデータは１以上のユーザ選択可能な選択ボタンを規定し、記録媒体が再生されるときに視聴者がコンテンツデータを選択できるようにする。さらに、ボタンデータは少なくとも１つのファントムボタンを規定し、これは例えば視覚的に識別できなかったり、ビデオデータ内に隠されていたり、もしくは短時間表示されるので視聴者が選択できない。この少なくとも１つのファントムボタンを視聴者が選択できないが、記録データを解析するコピー装置はユーザ選択可能な選択ボタンとしてファントムボタンを誤って特定し、ファントムボタンに関連づけられたデータをコピーしてしまう。ファントムボタンに関連づけられたデータはコピープロセスに悪影響を及ぼすか、または再生不可能もしくは視聴不可能なコピーを提供するだろう。  【選択図】  図５
2011510429.tif 000002
【特許請求の範囲】
【請求項１】
記録媒体上に記録される記録データを提供するための装置において、
再生装置によって再生されるコンテンツデータを視聴者が選択できるように前記視聴者に提示される１以上のユーザ選択可能な選択ボタンを規定するボタンデータを含む記録データであって、ビデオデータを含むコンテンツデータおよび前記記録媒体の再生装置を前記コンテンツデータへナビゲートするのを可能にするナビゲーションデータを有する記録データを提供するよう動作可能なプロセッサを具え、
前記プロセッサが更に、前記記録データに視聴者によってアクセスされないがコピー装置によって選択ボタンとして特定される少なくとも１つのファントムボタンを規定する更なるボタンデータを提供するよう動作可能であることを特徴とする装置。
【請求項２】
請求項１に記載の装置において、前記記録媒体が再生装置によって再生されるときに前記少なくとも１つのファントムボタンに視聴者がアクセスできないか、または容易にアクセスできないことを特徴とする装置。
【請求項３】
請求項１に記載の装置において、前記記録媒体が再生装置によって再生されるときに前記少なくとも１つのファントムボタンが可視でないか、または視聴者によって容易に見られないことを特徴とする装置。
【請求項４】
請求項１に記載の装置において、前記プロセッサが前記記録媒体の破壊領域に前記少なくとも１つのファントムボタンを関連づけるよう動作可能であり、前記破壊領域が前記記録媒体のコピーを禁止する；コピーの品質あるいは再生可能性に悪影響を及ぼす、のうち少なくとも１つであることを特徴とする装置。
【請求項５】
請求項１に記載の装置において、前記プロセッサが、
スクランブルを掛けられたデータまたは読み取り不能なデータと；
不正データと；
訂正不可能なエラーを含むデータと；
前記記録媒体の損傷領域と、のうち少なくとも１つに前記少なくとも１つのファントムボタンを関連づけるよう動作可能であることを特徴とする装置。
【請求項６】
請求項１に記載の装置において、前記少なくとも１つのファントムボタンが、
識別困難なボタンと；
前記ファントムボタンを含むビデオフレームの背景と同一色のボタンと；
自身が存在する１または複数の前記ビデオフレームにカモフラージュされたボタンと；  視聴者がボタンを選択する動作を行うより短い間可視であるボタンと；
僅か１または２ピクセルの少なくとも１つの寸法を有するボタンと；
ビデオフレームの端の少なくとも一部に沿って延在するボタンと、のうち少なくとも１つを含むことを特徴とする装置。
【請求項７】
請求項１に記載の装置において、前記プロセッサが前記記録媒体の破壊領域に前記少なくとも１つのファントムボタンを関連づけるよう動作可能であり、前記破壊領域が前記記録媒体のコピーを禁止する；コピーの品質あるいは再生可能性に悪影響を及ぼす、のうち少なくとも１つであり、前記少なくとも１つのファントムボタンが、
識別困難なボタンと；
前記ファントムボタンを含むビデオフレームの背景と同一色のボタンと；
自身が存在する１または複数のビデオフレームにカモフラージュされたボタンと；
視聴者がボタンを選択する動作を行うより短い間可視であるボタンと；
僅か１または２ピクセルの少なくとも１つの寸法を有するボタンと；
ビデオフレームの端もしくは境界の少なくとも一部に沿って延在するボタンと、のうち少なくとも１つを含むことを特徴とする装置。
【請求項８】
請求項１に記載の装置において、前記プロセッサが前記少なくとも１つのファントムボタンを有するファントムメニューを前記記録データに提供するよう動作可能であることを特徴とする装置。
【請求項９】
請求項１に記載の装置において、前記プロセッサーが前記少なくとも１つのファントムボタンを有するファントムメニューを前記記録データに提供するよう動作可能であり、前記ファントムメニューが０．４秒未満の間表示されるよう設計されていることを特徴とする装置。
【請求項１０】
請求項１に記載の装置において、前記ナビゲーションデータが前記１以上のユーザ選択可能な選択ボタンのボタンデータを含むメニューデータを含んでおり、前記プロセッサーが前記メニューデータ内に前記少なくとも１つのファントムボタンの更なるボタンデータを提供するよう動作可能であることを特徴とする装置。
【請求項１１】
記録媒体上に記録される記録データを提供する方法において、
再生装置によって再生されるコンテンツデータを視聴者が選択できるように前記視聴者に提示される１以上のユーザ選択可能な選択ボタンを規定するボタンデータを含む記録データであって、ビデオデータを含むコンテンツデータおよび前記記録媒体の再生装置を前記コンテンツデータへナビゲートするのを可能にするナビゲーションデータを有する記録データを提供するステップと、
視聴者によってアクセスされないがコピー装置によって選択ボタンとして特定される少なくとも１つのファントムボタンを規定する更なるボタンデータを前記記録データに追加するステップと、を含むことを特徴とする方法。
【請求項１２】
請求項１１に記載の方法において、前記記録媒体が再生装置によって再生されるときに前記少なくとも１つのファントムボタンが可視でないか、視聴者によって容易に見られないことを特徴とする方法。
【請求項１３】
請求項１１に記載の方法において、前記少なくとも１つのファントムボタンを前記記録媒体の１または複数の破壊領域に関連づけるステップを更に含み、前記破壊領域が前記記録媒体のコピーを禁止する；コピーの品質あるいは再生可能性に悪影響を及ぼす、のうち少なくとも１つであることを特徴とする方法。
【請求項１４】
請求項１１に記載の方法において、前記少なくとも１つのファントムボタンが、
スクランブルを掛けられたデータまたは読み取り不能なデータと；
不正データと；
訂正不可能なエラーを含むデータと；
前記記録媒体の損傷領域と、のうちの少なくとも１つに関連づけられることを特徴とする方法。
【請求項１５】
請求項１１に記載の方法において、前記少なくとも１つのファントムボタンが、
識別困難なボタンと；
前記ファントムボタンを含むビデオフレームの背景と同一色のボタンと；
自身が存在する１または複数のビデオフレームにカモフラージュされたボタンと；
視聴者がボタンを選択する動作を行うより短い間可視であるボタンと；
僅か１または２ピクセルの少なくとも１つの寸法有するボタンと；
少なくとも１つのビデオフレームの少なくとも一部に隣接するボタンと、のうち少なくとも１つを含むことを特徴とする方法。
【請求項１６】
請求項１１に記載の方法において、前記少なくとも１つのファントムボタンが前記記録媒体の破壊領域に関連づけられており、前記破壊領域が前記記録媒体のコピーを禁止する；コピーの品質あるいは再生可能性に悪影響を及ぼす、のうち少なくとも１つであり、前記少なくとも１つのファントムボタンが、
識別困難なボタンと；
前記ファントムボタンを含むビデオフレームの背景と同一色のボタンと；
自身が存在する１または複数のビデオフレームにカモフラージュされたボタンと；
視聴者がボタンを選択する動作を行うより短い間可視であるボタンと；
僅か１または２ピクセルの少なくとも１つの寸法を有するボタンと；
少なくとも１つのビデオフレームの少なくとも一部に隣接するボタンと、のうち少なくとも１つを含むことを特徴とする方法。
【請求項１７】
請求項１１に記載の方法において、前記少なくとも１つのファントムボタンを有するファントムメニューを前記記録データに提供するステップを更に含むことを特徴とする方法。
【請求項１８】
請求項１１に記載の方法において、前記１以上のユーザ選択可能な選択ボタンのボタンデータと前記少なくとも１つのファントムボタンの更なるボタンデータとを含むメニューデータを前記ナビゲーションデータに提供するステップを更に具えることを特徴とする方法。
【請求項１９】
請求項１１に記載の方法において、前記記録データを含む記録データファイルを提供するステップと；前記記録データを所持するマスタを生成するステップと；前記記録データを所持するマスタに対して前身を生成するステップと；光ディスク、例えば前記記録データを所持するＤＶＤなどの少なくとも１つの記録媒体を生成するステップと；書き込み可能または再書き込み可能な光ディスク、例えばＤＶＤ上に前記記録データを書き込むステップと、の少なくとも１つを更に含むことを特徴とする方法。
【請求項２０】
プロセッサ命令を保存するプロセッサ読み取り可能な記憶媒体において、
再生装置によって再生されるコンテンツデータを視聴者が選択できるように前記視聴者に提示される１以上のユーザ選択可能な選択ボタンを規定するボタンデータを含む記録データであって、ビデオデータを含むコンテンツデータおよび前記記録媒体の再生装置を前記コンテンツデータへナビゲートするのを可能にするナビゲーションデータを有する記録データを提供し；
前記視聴者によって選択可能ではないがコピー装置によって選択ボタンとして特定される少なくとも１つのファントムボタンを規定する更なるボタンデータを前記ナビゲーションデータに組み込むようプロセッサをプログラムすることを特徴とする記憶媒体。
【発明の詳細な説明】
【技術分野】
【０００１】
本発明は、光ディスク（もしくはその前身）または記録媒体に保存されたナビゲーションデータを用いて非逐次的な方法でコンテンツデータにアクセスすることができるその他の記録媒体であって、そのコンテンツの不正コピーに対してコンテンツを所持する記録媒体をコピープロテクトするための装置および方法に関し、そのようなコピープロテクトを有する記録媒体、および記録媒体上に記録するコピープロテクトされたデータに関する。単純化するため、記録媒体に保存されたナビゲーションデータを用いて非逐次的な方法でコンテンツデータをアクセスすることができる記録媒体は、以下で単に「記録媒体」という。
【背景技術】
【０００２】
デジタル記録技術の到来は、光ディスク（例えばＤＶＤ）などの記録媒体に記録されるデジタルコンテンツのディジタルコピーを可能にし、コピー品質をほとんど損なわず、もしくは全く損なわずに作成される。これは、無許可の人がデジタルコンテンツを記録する記録媒体の不正コピーを生成するのを容易にする。したがって、コピープロテクト技術が開発されている。最も最新のコピープロテクト技術は、良好な再生可能性を維持しながらコピーを無効化するために、正当な再生装置および無許可のコピー装置もしくは記録媒体にアクセスする「リッパー」の方法の差異を利用している。例として、正当なＤＶＤプレーヤはＤＶＤに記録されたナビゲーションデータによって規定されるＤＶＤ上のナビゲーションパスに従うが、ほとんどの不正なコピー装置またはリッパーは、ファイル単位またはセクタ単位でＤＶＤのコンテンツにアクセスする。したがってＤＶＤのナビゲーションパスの一部を形成しないデジタルデータの一部に破壊データ（これはコピーのコピープロセス、コピー品質および再生可能性の少なくとも１つに有害な影響を与えるデータである）を加えることによって不正なコピー装置のファイル単位あるいはセクタ単位による良好な品質あるいは再生可能なコピーの生成を妨げることができ、つまり破壊データは正当な再生装置によって無視されるが、不正コピーの生成に有害な影響を与える。別の実現性として、正当な再生装置に影響を与えないが、不正なコピー装置または「リッパー」を妨害するように、幾つかのデジタルデータのデジタルサム値（ＤＳＶ）に影響を与えるようデータを変更してもよい。
【０００３】
上記のようなコピープロテクトは、セクタ単位またはファイル単位方式でデータをコピーするリッパーによるＤＶＤなどの光ディスクのコンテンツのディジタルコピーを防止するであろう。しかしながら、より高度なもしくは賢いリッパー（「ナビゲーション解析」リッパー）は再生装置が光ディスクを再生するときに従うナビゲーションパスを決定するために光ディスク上に含まれるナビゲーション情報を解析することができ、したがってナビゲーションパスに配置される必要のない全ての破壊データのコピーを回避しながらコンテンツデータ（例えば映画あるいはフィルム）をコピーすることができるであろう。
【発明の概要】
【０００４】
一実施例は、コンテンツデータおよびそのような記録媒体を再生する再生装置がコンテンツデータへナビゲートするのを可能にする制御データを有する記録データを記録媒体上に記録するために提供するための装置を提供し、制御データが、記録媒体が再生されて視聴者が再生されるコンテンツデータを選択可能となるときに視聴者に表示される選択ボタンを表すまたは規定するデータを含むことを特徴とする。一実施例では、制御データが少なくとも１つのファントムボタンを表すあるいは規定するデータを含み、これは記録媒体を再生する視聴者がアクセスできない、または容易にアクセスできないが（例えばファントムボタンが可視でないか、または記録媒体が再生されるとき視聴者によって容易に見られないか、または選択ボタンとして視聴者に認識されない）、ナビゲーション解析リッパーによって選択ボタンとして特定される。そのようなファントムボタンは、記録媒体のコピーを禁止する破壊データに関連づけられる、および／またはコピーの品質あるいは再生可能性に悪影響を与える。この破壊データは、再生装置を（遠隔操作またはその他のユーザ入力を介して）操作する視聴者がファントムボタンを選択できてはいけないので元の記録媒体の再生可能性に影響を与えてはいけない。しかしながら、ナビゲーション解析リッパーはそのようなファントムボタンと本当の選択ボタンを識別することができないので、ファントムボタンおよびこれにより任意に関連づけられた破壊データをコピー用に選択するであろう。
【０００５】
少なくとも１つのファントムボタンは、光ディスクが再生されるときにユーザにファントムボタンを選択する機会を与えずに表示されるファントムボタンメニューの一部を形成してもよい。そのようなファントムボタンメニューは、例えば、完全に空白あるいは黒いスクリーンを表してもよく、少なくとも１つのボタンが背景から識別できない。そのようなファントムボタンメニューは、非常に少ない数のフレーム、例えば約０．４秒の映像のみを表す非常に短い時間表示されるよう設計されてもよい。少なくとも１つのファントムボタンは、ユーザの目に見えないようにコンテンツデータあるいは制御データ内に隠されてもよい。例えば、そのようなファントムボタンは、ファントムボタンがある１または複数のフレームの残りから人間の目に識別不可能ないくつかのピクセルから成る領域を構成してもよい。例えば、ファントムボタンを形成するピクセルはそれらが配置される１または複数のフレームの可視コンテンツ内に合致させるか、またはカモフラージュさせてもよい。別の実施例として、そのようなファントムボタンは、１または複数のビデオフレームの１以上の端に、細い領域、例えば１ピクセル幅の領域を具えてもよい。そのような細いピクセル領域は、それが視聴者に気づかれないという可能性を最大化するために黒いピクセルを具えてもよい。
【０００６】
一実施例では、少なくとも１つのファントムボタンが記録媒体の１または複数の破壊な領域に関連づけられ、破壊領域が記録媒体のコピーを禁止する；コピーの品質あるいは再生可能性に悪影響を及ぼす、のうち少なくとも１つであることを特徴とする。一実施例では、少なくとも１つのファントムボタンが、スクランブルを掛けられたデータまたは読取り不能のデータと；不正データと；訂正不可能なエラーを含むデータと；記録媒体の損傷領域と、のうち少なくとも１つに関連づけられることを特徴とする。
【０００７】
一実施例では、ナビゲーションデータが１以上のユーザ選択可能な選択ボタンのボタンデータを含むメニューデータを含んでおり、メニューデータ内に少なくとも１つのファントムボタンの更なるボタンデータが提供されることを特徴とする。
【０００８】
ファントムボタンを含むビデオオブジェクトユニットは、コンテンツデータ内、例えば視聴者に表示されるメニュー内または映画の実際のビデオフィルムの一部内のいかなる場所に配置してもよい。
【０００９】
一実施例では、ＤＶＤなどの光ディスクの記録データはビデオコンテンツデータとナビゲーションデータを有する。ボタンデータは１以上のユーザ選択可能な選択ボタンを規定しており、記録媒体が再生されるときに視聴者がコンテンツデータを選択できるようにする。さらに、ボタンデータは少なくとも１つのファントムボタンを規定しており、これは例えば視覚的に識別できず、ビデオデータ内に隠されたり、もしくは短時間表示されるので視聴者が選択できない。少なくとも１つのファントムボタンは視聴者が選択できないが、記録データを解析するコピー装置はユーザ選択可能な選択ボタンとしてファントムボタンを誤って特定し、ファントムボタンに関連づけられたデータをコピーするであろう。ファントムボタンに関連づけられたデータはコピープロセスに悪影響を及ぼすか、または再生不可能もしくは視聴不可能なコピーを提供するであろう。ファントムボタンは、ナビゲーションデータのメニューまたはコンテンツデータの一部に加えられるか、または再生されたときに短時間、例えば０．４秒間、黒または空白のスクリーンを提供するビデオクリップ中に提供されるファントムメニュー内に提供されてもよい。
【００１０】
少なくとも１つのファントムボタンは、例えば識別困難または識別不可能なボタンと；ファントムボタンを含むビデオフレームの背景と同一色のボタンと；自身が存在する１または複数のビデオフレーム内にカモフラージュされたボタンと；視聴者がボタンを選択する動作を行うより短い間可視であるボタンと；僅か１または２ピクセルのうち少なくとも１つの寸法を有するボタンと；少なくとも１つのビデオフレームの端に隣接するか、または少なくとも１つのビデオフレームの少なくとも一部の端の部分を形成するボタンと、を含む。１以上のファントムボタンがある場合、これらの種類のファントムボタンの任意の組み合わせの何れか１つを用いてもよい。
【００１１】
本発明はまた、記録データ内にファントムボタンおよびファントムメニューの少なくとも１つを組み込むことによってナビゲーション解析リッパーによるコンテンツデータのコピーを禁止する方法を提供する。
【００１２】
この方法は更に、記録データを含む記録データファイルを提供するステップと；記録データを所持するマスタを生成するステップと；記録データを所持するマスタの前身を生成するステップと；光ディスク、例えば記録データを所持するＤＶＤなどの少なくとも１つの記録媒体を生成するステップと；書き込み可能または再書き込み可能な光ディスク、例えばＤＶＤ上に記録データを書き込むステップと、の少なくとも１つを含むことを特徴とする。
【００１３】
本発明はまた、記録データ自体および記録データを所持する記録媒体を提供する。本発明はまた、コンピュータ読み取り可能な命令を保存するコンピュータ読み取り可能媒体を提供し、この方法を実行するようプロセッサをプログラムすることを特徴とする。
【００１４】
記録媒体は、ＤＶＤなどの光ディスクまたはＤｉｇｉｔａｌ  Ｌｉｎｅａｒ  Ｔａｐｅ、ガラスマスタ、またはスタンピングマスタなどその前身でもよいし、または記録媒体に保存されたナビゲーションデータを用いて非逐次的な方法でコンテンツデータをアクセスすることができる任意のその他の形態の記録媒体でもよい。
【図面の簡単な説明】
【００１５】
本発明の実施例はここで、添付図面を参照して実施例により記載される。
【図１】図１は、ＤＶＤなどのコピープロテクトされた光ディスクを生成するための生成装置の機能ブロック図である。
【図２】図２は、ＤＶＤなどのコピープロテクトされた光ディスクを読み取るための読み取り装置の機能ブロック図である。
【図３】図３は、図１に示されるコピー装置を提供するようにプログラムされた演算装置の機能ブロック図である。
【図４】図４は、図３に示される機能を有する演算装置の例を示すダイアグラムである。
【図５】図５は、本発明の実施形態によってプロテクトされたＤＶＤビデオの一実施例のナビゲーションおよびプレゼンテーションのデータ構造を説明するためのダイアグラムである。
【図６】図６は、ＤＶＤビデオの物理データ構造を説明するためのダイアグラムである。
【図７】図７は、本発明の実施形態によってプロテクトされたＤＶＤビデオの実施例のナビゲーションおよびプレゼンテーションのデータ構造を説明するためのダイアグラムである。
【図８】図８は、図１に示される装置によって実行される動作を説明するためのフローチャートとダイアグラムである。
【図９】図９は、図１に示される装置によって実行される動作を説明するためのフローチャートとダイアグラムである。
【図１０】図１０は、コピープロテクトを提供するために本発明による方法で実行される動作を示すフローチャートである。
【発明を実施するための形態】
【００１６】
ここで図１を参照すると、生成装置１は光ディスク、この場合にはＤｉｇｉｔａｌ  Ｖｅｒｓａｔｉｌｅ  Ｖｉｄｅｏ  Ｄｉｓｃ（本書でＤＶＤと略記されたＤＶＤビデオ）上に記録される記録データを提供するようユーザ操作で動作可能であり、この記録データはビデオコンテンツデータ（例えばフィルムあるいは映画、ビデオゲーム、テレビ番組の１または複数のエピソードなど）と、そのような記録媒体を再生する再生装置をコンテンツデータへナビゲートするのを可能にするナビゲーションまたは制御データとを有しており、ナビゲーションデータは記録媒体が再生されて視聴者が再生すべきコンテンツデータを選択できるようにするときに視聴者に表示される選択ボタンを表すか、または規定するデータを含んでおり、記録データはまたナビゲーション解析リッパーによって選択ボタンとして特定されるが、記録媒体が再生されるときに視聴者によって選択されない少なくとも１つのファントムボタンを表すか、または規定するデータを含んでおり、例えばファントムボタンは視聴者がアクセスできないか、または容易にアクセスできないか、例えばファントムボタンは可視でないか、または記録媒体が再生されるとき視聴者によって容易に見られないか、選択ボタンとして視聴者に認識されない。そのようなファントムボタンは、例えば、ファントムメニューの一部であるか、または本当のメニューもしくはコンテンツデータの任意の部分に組み込まれるか、または１以上のファントムボタンがあるこれら任意の組み合わせである。そのようなファントムボタンは破壊データに関連づけられているので、ファントムボタンを選択するリッパーが関連づけられた破壊データをコピーし、破壊データがコピープロセスまたは得られるコピーの品質に悪影響を与えるであろう。
【００１７】
データ処理装置２は、データ処理装置２の全体的な動作を制御するデータ処理装置制御部３と、ユーザに情報を提供し、かつユーザから指示を受けるよう動作可能なユーザインターフェース４と、ユーザによって選択されたアセット（ビデオデータファイルまたは任意の追加の音声データファイルを追加したデータファイル、およびロゴ、メニューなどのグラフィックデータファイルなど）を受け取るよう動作可能であり、ＤＶＤのコンテンツを形成するアセット受信部５と、制御部３の制御下およびユーザインターフェース４を介して受け取られるユーザの指示によって動作可能であり、任意に必要なアセットの符号化を達成して、アセットが例えばビデオデータ用のＭＰＥＧ２などのＤＶＤが準拠するＤＶＤ規格によって規定されたフォーマットであること保証するアセットエンコーダ６とを有している。
【００１８】
データ処理装置はまた、ユーザがユーザインターフェース４を介してビデオフォーマットおよびディスクサイズなどの生成されるＤＶＤのパラメータを特定し、アセットエンコーダ６から符号化されたアセットを取り込み、アセットを同期させて、チャプタポイントを加えて、メニューなどを作成するのを可能にするオーサラ７を有しており、最終的なＤＶＤが必要なプレゼンテーションデータ（これはＤＶＤプレーヤによって視聴者に配信すべきオーディオおよびビデオのコンテンツデータである）および適切なＤＶＤ規格に従って非逐次的な方法でＤＶＤのコンテンツへナビゲーションを可能にするナビゲーションデータ（一般的な制御データ、検索制御データ、ユーザインターフェース制御データおよびナビゲーション制御データを含む）を有することを保証する。オーサラ７はこれによりユーザ操作で、アセットを多重化し、適切なＤＶＤ規格仕様によってナビゲーション情報と制御情報を加え、作製されたデータファイルあるいは最終的なディスクイメージまたは適切なＤＶＤ仕様データファイルを含むＤＤＰ（Ｄｉｓｃ  Ｄｅｓｃｒｉｐｔｉｏｎ  Ｐｒｏｔｏｃｏｌ）ファイルセットをディレクトリに書き出す。ユーザがその作業を見直し、チェックすることができるように、オーサラ７はまた得られるＤＶＤをほぼシミュレートすることができる。
【００１９】
データ処理装置２はまた、ＤＶＤビデオファイルの形式、または画像ファイルとして、もしくはＤＤＰファイルセットとして既に作製されたＤＶＤビデオコンテンツを受信するファイル受信部９１を有してもよい。
【００２０】
データ処理装置２はまた、破壊データを受信するよう動作可能な破壊データ受信部９０を含んでもよい。
【００２１】
データ処理装置２はまた、後述するようにオーサラ７またはファイル受信部９１によって提供されるＤＶＤビデオファイル、画像ファイルまたはＤＤＰファイルセットにコピープロテクトを提供するコピープロテクタ８を有している。オーサリングがオーサラ７によって実行されることになっている場合、コピープロテクタ８によって提供される機能はオーサラの一部を形成してもよく、その結果オーサリング処理中にＤＤＰファイルセットにもたらすコピープロテクトを達成することができる。
【００２２】
データ処理装置２はマスタ生成部９にコピープロテクトされたファイルを提供するように連結され、マスタ生成部９は適切なＤＶＤ規格仕様に従ってコピープロテクトされた画像ファイルあるいはＤＰＰファイルセットを符号化するステップを含む従来のマスタリングプロセスを実行して記録用のチャネル符号データを生成するように構成されており、すなわちスクランブリング、インターリービング、エラー修正および適切なＤＶＤ規格仕様に従ったＥＦＭプラス符号化などの処理を実行する。
【００２３】
マスタ生成部９は、ローカルの記録部１２およびマスタデータファイル提供部１０の少なくとも１つに得られたマスタファイルを提供するよう配置され、マスタデータファイル提供部１０は既知の方法で複製装置１１供給用のデータファイル、例えばデジタルリニアテープ（ＤＬＴ）ファイルを提供する。複製装置１１は通常、必須ではないが、残りの生成装置から遠くに配置され、一般にガラスマスタを切断するガラスマスタ生成部１３と、スタンピングマスタからガラスマスタを生成するスタンピングマスタ生成部１４と、スタンピングマスタから最終的なＤＶＤディスク１６を生成するディスク生成部１５を有するであろう。任意のローカル記録部１２は、書き込み可能もしくは再書き込み可能なＤＶＤディスクに書き込むか、または記録するＤＶＤライタの形態であり、１以上の記録ディスク１７を生成するであろう。マスタ生成部９は別個の要素として図１に示されているが、データ処理装置２の一部でもよいし、またはその機能は可能ならば記録部１２およびマスタデータファイル提供部１０によって提供されてもよい。
【００２４】
図２は、図１に示される装置によって生成されたコピープロテクト済みＤＶＤを再生するのに適切な再生装置２０のブロック図を示している。再生装置２０は、専用のＤＶＤプレーヤでもよいし、またはＤＶＤを再生する性能を有するパーソナルコンピュータもしくはその他のコンピュータとすることができる。再生装置２０は、記録済みＤＶＤからデータのセクタを読み取るよう動作可能な読み取りヘッド回路素子を持つ記録媒体読み取り部２１と、読み取りヘッド回路素子によって読み取られたチャネルデータを復号するよう動作可能なデータデコーダ２２とを有する。図２に示されていないが、データデコーダ２２はクロック信号を抽出するクロック抽出器と、セクタをデシャッフリングするデインタリーバあるいはデシャッフラと、チャネルデータを復号するチャンネルデコーダとを適切な場所に有する。
【００２５】
再生装置２０は、読取装置の全体的な動作を制御し、出力提供部２６にプレゼンテーションデータを提供するプレゼンテーションデータ提供部２４を含む制御部２３を有しており、出力提供部２６は一般にオーディオビデオディスプレイシステム、例えばモニタおよび関連するオーディオシステムもしくはＴＶディスプレイの形態をしているが、オーディオビデオディスプレイシステムへの通信リンクとすることもできる。制御部２３はまた、ユーザ入力提供部２７（これは例えばキーボード、ポインティングデバイス、および／または遠隔操作でよい）を介して受け取られたユーザの入力指示およびＤＶＤから読み取られたナビゲーションデータまたは制御データに従って記録媒体読み取り部２１の読み取りヘッド回路素子によって読み取られるＤＶＤ上の位置を制御するナビゲータ２５を提供している。
【００２６】
提供される機能を簡単に示しており、これらの機能的要素が別個の物理的実体として必ず存在することを示唆するようには取るべきではない。むしろ、機能は１以上の物理的要素によって提供されてもよいし、後者の場合には、図１または図２に示される１つの機能的要素によって提供される機能は、異なる物理的要素間で分配されてもよい。さらに、機能の異なる態様が別個の機能として特定できてもよい。
【００２７】
図１および図２に示される機能的要素は適宜、これらのハードウェア、ファームウェア、ソフトウェアまたはこれらの任意の組み合わせによって提供されてもよい。
【００２８】
図３は、演算装置３００の機能ブロック図を示しており、これはプログラム命令によってプログラムされて、例えば図１で示されるデータ処理装置２、マスタ生成部９、記録部１２およびマスタデータファイル提供部１０の少なくとも１つおよび／または図２に示される再生装置２０を提供する。
【００２９】
演算装置３００は、記憶装置３１に１以上のバス３７で連結された演算処理装置３０を具え、記憶装置３１は、リムーバブル媒体ＲＭ３３を受け取るリムーバブル媒体ドライブあるいはポート３２（この場合、ＤＶＤを受け取るＤＶＤドライブおよび／またはＤＬＴドライブ）、読み取り専用メモリ（ＲＯＭ）３４、ランダムアクセスメモリ（ＲＡＭ）３５およびハードディスクドライブなどの大容量記憶装置３６を具える。
【００３０】
バス３７はまた、図１のユーザインターフェース２０および図２の出力提供部２６とユーザ入力提供部２７、この場合、キーボード３９、ポインティングデバイス４０および表示部４１を形成しうる多くの周辺入出力装置に演算処理装置３０を連結する。周辺装置はまた、ネットワーク通信を提供する通信装置４３と、任意にプリンタ４２とを含んでもよい。通信装置４３は、インターネットでもよいが、代わりにまたはさらにイントラネット、ローカルエリアネットワーク、ワイドエリアネットワークまたはその他適切な形態のネットワークを通じて演算装置３００を通信可能にする、例えばモデム、ネットワークカードなどでもよい。
【００３１】
記憶装置と入出力装置は、図３に示されるもの全てを具えなくてもよく、および／または追加の装置を具えることができることが当然に認識されるであろう。例えば、フロッピー（登録商標）ディスクドライブ、デジタルリニアテープ（ＤＬＴ）ドライブおよび／またはＵＳＢポートなどのさらに１以上のリムーバブル媒体ドライブまたはポートが提供されてもよく、その他の入出力装置または遠隔操作、マイクおよび拡声器の何れか１以上などの代替入出力装置が提供されてもよい。
【００３２】
図４に図解的に示されるように、演算装置は、演算処理装置３０と、記憶装置３１と、キーボード３９、マウス４０および表示部４１で示される形態のユーザインターフェース装置とを含むメインプロセッサユニット５０を有するパーソナルコンピュータまたはサーバーの３００ａでもよい。図３は、挿入スロットまたはポート３２ａから延在するリムーバブル媒体３３を示している。
【００３３】
演算装置３００または３００ａは、以下のルートの何れか１以上によって供給されるプログラム命令によって図１に示されるコピー装置１を提供するようにプログラムされてもよい：
ＲＯＭ３４および／または大容量記憶装置３６に予め保存されている；
キーボード３９および／またはポインティングデバイス４０などの入力装置を用いてユーザによって入力される；
リムーバブル媒体３３からダウンロードされる；
通信装置４３を介して信号Ｓとして供給される。
【００３４】
もちろん、装置が異なる物理的要素を有する場合、これらは対応するそれぞれの演算装置のプログラミングによって提供される。
【００３５】
図１に示される装置はナビゲーション解析リッパーでさえコピーするのが難しいＤＶＤを生産することができる。
【００３６】
図１に示される装置１がどのように機能するかについての理解を容易にするために、最初にＤＶＤの構成について論じる必要がある。
【００３７】
ＤＶＤは、交互配置されている複数のエレメンタリストリームと、ＤＶＤビデオゾーン内に構造化された階層的手法で編制されているコンテンツの複数の個別要素とを持った複雑で非線形の構造を有している。ＤＶＤに保存されたデジタルのプレゼンテーションデータへのナビゲーションは、ＤＶＤビデオゾーンの物理データ構造に異なるレベルで存在するナビゲーションデータによって制御される。ＤＶＤビデオゾーンのプレゼンテーションデータは、記録データにアクセスする再生装置２０によってＤＶＤのデータの記録の始めから終わりまで逐次的な方法で簡単に再生することができない。むしろ、再生装置２０によってコンテンツを通して取得された１または複数のナビゲーションパスは、再生装置２０のナビゲーター２５と、ＤＶＤが作製される方法およびユーザとの相互作用に依存する。
【００３８】
ＤＶＤは、物理データ構造および物理データ構造に重なる論理階層形式の論理データ構造を具えている。物理データ構造は、ＤＶＤ規格に従って、ＤＶＤ上に逐次的で物理的に続く方法または逐次的方法で保存されるデータを持つＤＶＤ上のデータの編制方法を決定する。論理データ構造は、ビデオシーケンスのグルーピングと、一連のビデオのブロックの再生順序とを決定する。ディスクに記録されるデータは、物理セクタに編制される。各物理セクタは、ＳＹＮＣブロック、ヘッダー、データパックおよびエラー検出コードから成る。チャネルコーディング規則を満たすのを保証し、ディスク上の欠陥の影響を最小限にするために、これらのセクタのデータが、追加されたエラー訂正パリティー符号を有し、ＤＶＤフォーマットのＥＦＭ＋（８乃至１６変調）チャネルコーディングスキームに従ってチャネルコーディングの前に１６セクタ（ＥＣＣブロック）のブロックに交互に配置されており、チャネル符号化データは、ＤＶＤ上にピットおよびランドの形態で保存される。データを記録するときに、ＩＳＯ／ＵＤＦファイルシステム情報（ＩＳＯ９６６０／ＵＤＦ（Ｕｎｉｖｅｒｓａｌ  Ｄｉｓｃ  Ｆｏｒｍａｔ）に従う）はディスクに記録されてディスクの各セクタの検索とこれによるアクセスを可能にする。単一層ＤＶＤに記録された最終データは、リードインセクション、次いでプログラムデータセクション、および次いでリードアウトセクションから成る。
【００３９】
図５は、例示的な実施例によって、本発明によってプロテクトされたＤＶＤの一実施例のプレゼンテーションおよびナビゲーションのデータ構造を説明するためのダイアグラムを示しており、一方図６はプロテクトされたＤＶＤビデオゾーンの構造を示すためのダイアグラムを示している。
【００４０】
図５に示されるように、ナビゲーションデータ構造は、ディスクがＤＶＤプレーヤへ挿入されるときに実行される第１のプログラムチェーンである第１の再生プログラムチェーン（ＰＧＣ）１００と、ビデオマネージャ（ＶＭＧ）１０１と、ビデオタイトルセット（ＶＴＳ）とを具える。
【００４１】
ビデオマネージャ１０１は、全てのＤＶＤビデオゾーンに制御情報を提供する。図５に示される実施例において、ビデオマネージャ１０１は、図示されるように、メインメニュー１０５に対応するタイトルメニュープログラムチェーン１０４を有している。単純化するため図５に示されないが、ビデオマネージャー１０１は一般にまた、１以上の言語フォルダを有するであろう。
【００４２】
ビデオタイトルセットの数は、特別なＤＶＤ構造に依存するであろう。図５は２つのビデオタイトルセット、著作権警告やこれに類似のものなどの導入データ用の第１のビデオタイトルセットＶＴＳ１  １０２と、ＤＶＤのメインコンテンツ（このコンテンツはフィルム（映画）、ミュージックビデオ、またはこれに類似のものなどでもよい）用の第２のビデオタイトルセットＶＴＳ２  １０３とを示している。
【００４３】
各ビデオタイトルセットは通常、言語フォルダおよび１以上のタイトルフォルダを有するであろう。言語フォルダは、ユーザに表示されるメニューを提供してユーザが言語、カット、アスペクト比（ワイドスクリーンか否か）などの様々なオプションを選択できるようにする１以上のメニュープログラムチェーン（ＰＧＣ）に関係づけられる一方、タイトルフォルダは、少なくとも１つのタイトルプログラムチェーン（タイトルは最大２１５−１のプログラムチェーンを含んでいるかもしれない）に関連づけられる。単純化するため、図５はタイトルフォルダのみを示している。図示されている実施例では、第１のビデオタイトルセットＶＴＳ１  １０２は著作権警告用に１つのタイトルフォルダ１０６（タイトル１（ＴＴＮ１））を有する一方、第２のビデオタイトルセットＶＴＳ２  １０３は１つのタイトルフォルダ１０７（タイトル１（ＴＴＮ２））を有している。
【００４４】
タイトルフォルダ１０６および１０７は、少なくとも１つのプログラムチェーン（ＰＧＣ）を有している。タイトルの第１のプログラムチェーンは、入力プログラムチェーン（「入力ＰＧＣ」）として知られている。図５に示されるように、各タイトルフォルダは１つのプログラムチェーン１１０と１１１を有しており、これによりこれらは入力ＰＧＣを形成する。
【００４５】
各プログラムチェーンは、プログラムチェーンの要素へのアクセスを制御するナビゲーションデータを含むプログラムチェーン情報（ＰＧＣＩ）を具え、０乃至９９のプログラム（ＰＧ）を含む。プログラムチェーンは、プログラムを含まないがＰＧＣＩのみ含んでもよい。そのようなプログラムチェーンは、ダミーのプログラムチェーンとして知られている。例えば、第１の再生プログラムチェーンはダミーのプログラムチェーンである。プログラムチェーンはプレコマンドおよびポストコマンドを有してもよく、これはプログラムチェーンが再生装置によってアクセスされる順序を規定するのに用いることができる。
【００４６】
図５に示される実施例では、第１の再生ＰＧＣ１００のプレコマンド２４０は、再生装置にタイトル１（ＴＴＮ１）タイトルフォルダ１０６にジャンプし、次いで第１のビデオタイトルセット１０２の入力プログラムチェーン１１０の著作権警告を再生させる。入力プログラムチェーン１１０はポストコマンド２４２を有しており、再生装置をビデオマネージャのタイトルメニューエントリプログラムチェーン１０４にジャンプさせる。
【００４７】
図示するように、図５は、１つのプログラム（ＰＧ１）１１３を有するプログラムチェーン１１０とｎ個のプログラム（ＰＧ１乃至ＰＧｎ）１１４１乃至１１４ｎを有するプログラムチェーン１１１を示している。
【００４８】
各プログラムは、プレゼンテーションデータ構造の対応する１または複数の物理セルにマッピングする１または複数列の論理セルを有している。図５の実施例では、各プログラム１１３および１１４１乃至１１４ｎは、１つの論理セル１１３ａおよび１１４ａ１乃至１１４ａｎを有している。図示されている実施例では、論理セル１１３ａは、１つの物理セル１１３ｂにマッピングし、論理セル１１４ａ１乃至１１４ａｎの各々は、対応する物理セル１１４ｂ１乃至１１４ｂｎにマッピングする。
【００４９】
図５が非常に単純化された実施例であり、ＤＶＤがより多くのビデオタイトルセットを含んでもよく、ビデオタイトルセットが図５に示されるよりさらに多くのタイトル、プログラムチェーン、プログラムおよびセルを含んでもよいことが当然に認識されるであろう。また、論理セルおよび物理セル間のマッピングは１対１である必要はなく、物理セルは論理セルと異なって整列されてもよい。
【００５０】
通常メインメニュー１０５は、ユーザによってアクセス可能な選択ボタン、例えば再生ボタン２４３および図５に示されるようなその他のメニュー選択ボタン２４４のみから構成されるであろう。この実施例ではしかしながら、メニューはファントムボタン２４７を追加するように修正されている。このファントムボタン２４７は、例えば、メニューを含む１または複数のビデオフレームの境界で狭い領域（例えば１ピクセル幅）として定義されてもよい。ファントムボタンのピクセルは黒またはそうではなく暗く定義されてもよく、その結果視聴者がファントムボタン２４７を選択ボタンとして認識せず、彼らがそれに全て気づいたなら、それが表示画面の物理的な端と表示されるビデオフレームとの間の境界の一部であると単に思う。別の実現性として、ファントムボタン２４７はメニュー背景内にカモフラージュされるか、隠されてもよい。
【００５１】
図５に示される実施例において、本当の選択ボタン（再生ボタン２４３およびその他のメニューオプションボタン２４４）はそれぞれＬｉｎｋＴａｉｌＰＧＣに関連づけられる。ＬｉｎｋＴａｉｌＰＧＣ２４５は再生ボタン２４３用として図５で示されており、再生装置のユーザによる再生ボタン２４３の選択に応じて、再生装置にメインメニューを出させ、次いでタイトルメニューエントリプログラムチェーン１０４のポストコマンド２４６を実行させるように提供される。例えば、ＬｉｎｋＴａｉｌＰＧＣ２４５の実行は、ポストコマンドエリア２４６のＪｕｍｐＴＴコマンドを介して、タイトルｘ（これはこの実施例のメインタイトルを構成する）を再生させ、タイトルｘ入力プログラムチェーン１１０のポストコマンド２４９がタイトルを再生した後に再生装置をメインメニューに戻らせるであろう。
【００５２】
図５のファントムボタン２４７はコマンド２４８に関連づけられており、これは破壊データの位置または領域に関連づけられており、その結果ファントムボタン２４７を特定するナビゲーション解析リッパーが記録媒体のナビゲーションデータを解析するときに選択ボタンとして破壊データの位置あるいは領域からデータをコピーまたはコピーするよう試みるであろう。コマンド２４８はＬｉｎｋＴａｉｌＰＧＣでもよいが、より一般的には「タイトルへジャンプ」コマンド（ＪｕｍｐＴＴ  ＴＴＮ）であるだろう。リッパーが破壊データの位置あるいは領域へナビゲートされるように、ファントムボタンコマンドは任意の純粋なボタンコマンドと当然異なるべきである。
【００５３】
破壊データの位置あるいは領域のデータ、またはその破壊データの位置または領域からデータをコピーするのを試みるプロセスは、不正コピーの生成および／またはその再生可能性に有害な影響を与えるであろう。図５に示されるように、１以上の物理セルは破壊データの位置あるいは領域（「破壊」）１００４を提供する。そのような破壊セルは、ＤＶＤのナビゲーションパスの一部を形成しないので、正当な再生装置がＤＶＤを再生する性能に影響を与えないであろう。
【００５４】
そのような破壊データの位置あるいは領域データは、スクランブルを掛けられたデータまたは読み取り不能のデータを提供してもよい。別の実現性としてまたはさらに、そのような破壊データの位置あるいは領域は不正コピーを禁止するか、または少なくとも不正コピーを再生したり、見たりするのを困難にするか、または非常に粗悪品としてもよい。実施例として、そのような破壊データの位置または領域がそのエリアを読み取ろうとするドライブの読み取り性能を破壊してもよい。例えば国際公開第０２／１１１３６号、国際公開第００／７４０５３号、国際公開第０１／６１６９５号および国際公開第０１／６１６９６号で用いられ、記載されている破壊データの実施例は、これらの各々の全内容が引用例に組み込まれる。その他の可能性としては、ＥＦＭ＋ビットストリームに訂正不可能な誤りを導入するか、デジタルサム値（ＤＳＶ）を破壊するか、または任意のコピーＤＶＤを再生できなくして、ナビゲーションパスの一部を形成しないガラスマスタ（およびこれにより得られるＤＶＤ）の領域を故意に損傷してもよい。これらの技術は、個々または任意の組み合わせで用いられてもよい。
【００５５】
破壊データあるいは破壊領域はコピープロセスに有害な影響を与え、その結果コピーを生成するのが実際に可能でないか、または任意の得られるコピーが見ることができないか、または再生できなくなるであろう。しかしながら、オリジナルの記録媒体の再生可能性は、視聴者が見ることができす、再生装置を破壊領域へ導くファントムボタンを選択することができないので、破壊領域によって影響を与えられない。
【００５６】
さらに、ファントムボタンはメインメニューで提供されてもよい。別の実現性としてまたはさらに、１または複数のファントムボタンは、言語フォルダメニューおよび／またはコンテンツデータのサブメニューで提供されてもよい。またメニューにファントムボタンを隠すことに加えて、または隠す代わりに、実際のコンテンツデータにファントムボタンを隠すことも可能である。異なるファントムボタンは、同一の破壊領域もしくは位置、または１以上の異なる破壊領域または位置を指してもよい。
【００５７】
図６は、図５に示されるものの構造がＤＶＤボリューム２００にどのように用意されるかを示している。ＤＶＤボリュームレイアウト２００は、リードイン２０１と、次いでＩＳＯ／ＵＤＦファイルシステム情報２０２と、ＤＶＤビデオゾーン２０３と、恐らく１以上のその他のゾーン２０４と、最後にリードアウト２０５とを有している。ＤＶＤビデオゾーン２０３は、図示されるように、ビデオマネージャ（ＶＭＧ）２０６と、１以上のビデオタイトルセット１０２および１０３とを有している。ビデオマネージャ（ＶＭＧ）２０６は、ＶＩＤＥＯ＿ＴＳ．ＩＦＯとして特定された１つのファイルのＤＶＤビデオゾーン全体に対するナビゲーションデータを具えるビデオマネージャ情報（ＶＭＧＩ）２０７から成っており、ＶＩＤＥＯ＿ＴＳ．ＶＯＢとして特定された１つのファイルとして提供されるビデオマネージャメニュービデオオブジェクトセット（ＶＭＧＭ＿ＶＯＢＳ）２０８と、１つのファイルＶＩＤＥＯ  ＴＳ．ＢＵＰのビデオマネージャー情報（ＶＭＧＩ＿ＢＵＰ）２０９とのバックアップファイルである。ビデオマネージャメニュービデオオブジェクトセット２０８は、通常タイトルメニューとその他のダミーでないメニュープログラムチェーン用のプレゼンテーションデータとを含む。
【００５８】
各ビデオタイトルセット（ＶＴＳ）は、１つのファイルＶＴＳ＿＃＃＿０．ＩＦＯ（ここで＃＃は、ビデオタイトルセット数を表す０１と９９の間の２桁の数を表す）でセットされたビデオタイトル中のタイトルおよびメニューの表示を制御するナビゲーションデータを具えるビデオタイトルセット情報（ＶＴＳＩ）２１２、２１３と、１つのファイルＶＴＳ＿＃＃＿０．ＶＯＢ（図５に示される実施例では、ビデオタイトルセット内にメニューがないので、ＶＴＳメニューＶＯＢＳがない）にセットされたビデオタイトル内の全種類のメニューに対するコンテンツを典型的に含む任意のビデオタイトルセットメニュービデオオブジェクト（ＶＴＳＭ＿ＶＯＢＳ）用のメニュービデオオブジェクトセット２１４、２１５と、ＶＴＳ＿＃＃＿＠．ＶＯＢ（ここで＠は１と９の間の１桁の数である）として特定された１以上のファイルにセットされたビデオタイトル用の、ビデオタイトルオブジェクトセット（ＶＴＳＴＴ＿ＶＯＢＳ）２１６、２１７と、ＶＴＳ＿＃＃＿０．ＢＵＰとして特定された１つのファイルのビデオタイトルセット情報（ＶＴＳＩ＿ＢＵＰ）２１８、２１９のバックアップとから成る。
【００５９】
各ビデオオブジェクトセット（ＶＯＢＳ）は複数列の物理セルから成る。図面を明快にするために、図６は物理セルセット（ＣＥＬＬ１／１乃至ＣＥＬＬｎ／ｍ）の一部を示しており、これはＶＭＧメニューＶＯＢＳ２０８か、ＶＴＳメニューＶＯＢＳ２１４か、ＶＴＳＴＴ  ＶＯＢＳ２１６か、ＶＴＳメニューＶＯＢＳ２１５か、またはＶＴＳＴＴ  ＶＯＢＳ２１７の物理セルセットの一部である。各物理セルは、再生時間の約０．４乃至１秒を表す１以上のビデオオブジェクトユニット（ＶＯＢＵ）から成る（それは多くの連続フレームである）。図６を単純化するために、１つの物理セル２３０とその物理セル２３０の１つのビデオオブジェクトユニット（ＶＯＢＵ）２３１の構造のみが示されている。
【００６０】
図６に示されるように、各ビデオオブジェクトユニットはナビゲーションパック（ＮＶ＿ＰＣＫ）２３２、次いでビデオ（Ｖ）、オーディオ（Ａ）および副映像（Ｓ）パック２３３、２３４および２３５の整数から成る。ＤＶＤにおいては、各パックがディスク上のユーザデータの１つのセクタを占有する（２０４８バイト）。各ビデオパック２３３は、パックを特定するパックヘッダ２３６と、次いでパック内のパケットを特定するパケットヘッダ２３７と、次いでＤＶＤフォーマット、すなわちＭＰＥＧ２フォーマットに従ったビデオデータ２３８とから成る。同様に、各オーディオパックはパックを特定するパックヘッダ２３９と、次いでパック内のパケットを特定するパケットヘッダ２４０と、ＤＶＤ、例えばＭＰＥＧ、ＤＴＳ、ＤＤ、ＬＰＣＭ、ＡＣ３に適切な任意のフォーマットであるオーディオデータ２４１とから成る。
【００６１】
各ナビゲーションパック（ＮＶ＿ＰＣＫ）２３２は、パックを特定するパックヘッダ２４２と、次いでシステムヘッダ２４３と、２つのナビゲーションデータパケット２４４および２４５とから成る。第１の２つのパケット２４４はコントロールメニューディスプレイおよびリアルタイムのプログラム表示を制御するためのプレゼンテーション制御情報（ＰＣＩ）を具えており、第２のパケット２４５は前方／後方スキャニングおよびシームレスなブランチングを制御するためのデータ検索情報（ＤＳＩ）を具える。ＤＶＤ再生装置は、可変率およびシームレスな再生を可能にするためのトラックバッファを含む。したがって、読み取りヘッドによる読み取りとオーディオデータとビデオデータのデコードおよび再生の間には時間遅れがある。したがって、リアルタイム制御情報はＰＣＩとＤＳＩパケット間で配布され、ＰＣＩとＤＳＩパケット内に保存され、再生装置は対応する物理セルがトラックバッファを通過する前および後にこの情報をチェックして利用する。ナビゲーションパック２３２は、ＤＶＤ再生装置のナビゲーションエンジンあるいはナビゲータ２５によって用いられ、再生とトリック再生モードと検索動作とが成功裡にタイムリーな方法で実行されるのを保証する。
【００６２】
したがってＤＶＤビデオゾーンがアクセスおよび対話型の再生を制御するナビゲーションデータを含み、ナビゲーションデータがＤＶＤビデオゾーン内に異なるレベルで存在することは上記から理解されるであろう。ナビゲーションデータは、制御コマンド（例えばフォーマット、言語、オーディオ選択、副映像選択、保護管理、ディスプレイモードおよびディスプレイアスペクト）と、ナビゲーションコマンド（例えば一般システムパラメータ、システムパラメタ、ナビゲーションタイマおよびメニューボタン）と、検索およびユーザインターフェースコマンド（例えば特別メニューの選択を可能にするＰＧＣＩ検索またはタイトル、タイトル（チャプタ）の一部などの選択を可能にするプレゼンテーションデータ検索）とを含む。
【００６３】
ＶＯＢＵのプレゼンテーション制御情報（ＰＣＩ）は、ＶＯＢＵの選択ボタンを規定するデータ、例えば位置座標、サイズ、ボタン色、ボタンハイライト色、ボタンコマンド、ユーザが設定時間内にボタンを選択しない場合の特別なボタン（再生ボタンなど）の自動起動などを含む。
【００６４】
任意の必要なファントムボタンは、対応するＶＯＢＵに対するプレゼンテーション制御情報（ＰＣＩ）を用いて規定される。例えば上記で論じられるように、ファントムボタンのサイズ、表示画面上の位置、ボタン色およびボタンハイライト色は、対応するＶＯＢＵのプレゼンテーション制御情報（ＰＣＩ）で規定されており、その結果、例えばファントムボタンはビデオフレームの境界で狭い領域（例えば１ピクセル高、または１ピクセル幅）として表示され、ファントムボタンのピクセルはハイライトさせられるか、ハイライトさせられていない黒またはさもなければ暗色に規定され、またはファントムボタンはメニューの背景とマージさせるか、またはメニューの背景にカモフラージュさせるように表示され、例えばファントムボタンはハイライトさせられるか、ハイライトさせられていない配置メニューの一部と同一色である。
【００６５】
ＤＶＤフォーマットの上記説明は、必要なものが簡潔にされている。ＤＶＤフォーマットのより詳細な記載と記録処理については、公的に利用可能なＤＶＤ規格を参照されたい。
【００６６】
上述したように、ファントムボタンは既存のメニューに追加されてもよい。別の実現性として、１以上のファントムボタンを持つファントムメニュー全体は、ファントムメニューの副映像パックを持つＶＯＢＵを提供し、そのＶＯＢＵに対するナビゲーションデータ内に適切なファントムボタンを規定することによってＤＶＤビデオに追加されてもよい。その結果、例えばファントムメニューは、短時間のみ（例えば０．４秒）表示されるよう規定され、暗色、例えば黒または空白であり、１または複数のファントムボタンがハイライトさせられるか、ハイライトさせられていないファントムメニューと同一色である。
【００６７】
別の実現性として、実際のビデオタイトルの１以上の「クローン」がコピープロテクタによって作成されてもよく、その結果米国出願第１１，４８１，６０５号明細書に記載されているように、その全内容が参照により本書に組み込まれ、これらの「クローン化」ビデオタイトルの各々は実際のタイトルの物理セルに関連づけられるが、スクランブルを掛けられた順序もしくは不正確な順序および／または不正データおよび／または破壊データに関連づけられる。次いで、ファントムボタンはビデオタイトルクローンの各々に関連づけられてもよく、その結果選択ボタンなどのファントムボタンを特定するナビゲーション解析リッパーはコピープロセスと任意に得られたコピーの少なくとも１つに悪影響を及ぼす「クローン化」ビデオタイトルに関連づけられたデータをコピーしようと試みるか、または実際にコピーするであろう。ファントムボタンは、本当のメニュー内に隠されてもよいし、またはＤＶＤビデオに追加されたファントムメニューの一部でもよい。
【００６８】
図７は、本発明によるＤＶＤビデオの一実施例を示す図であり、元のビデオタイトルセットＶＴＳ２オリジナル３００のタイトルは、図示される実施例において、オリジナルタイトル３００ａに加えて２つのクローンタイトル（ＴＴＮ３およびＴＴＮ５）３００ｂと３００ｃを持つオリジナルタイトルセットＶＴＳ２オリジナル３００を提供するため、および３つの「クローン」ビデオタイトルセットＶＴＳ１ＶＴＳクローン、ＶＴＳ３ＶＴＳクローン、ＶＴＳ４ＶＴＳクローンオリジナル３０１、３０３および３０４を提供するために「クローン化」されている。図７に示されるように、クローンビデオタイトルセットＶＴＳ１ＶＴＳクローン３０１は、２つのクローン化タイトル（ＴＴＮ１およびＴＴＮ２）３０１ａおよび３０１ｂを有し、クローンビデオタイトルセットＶＴＳ３ＶＴＳクローン３０３は１つのクローン化タイトル（ＴＴＮ６）３０３ａを有し、クローンビデオタイトルセットＶＴＳ４ＶＴＳクローン３０４は３つのクローン化タイトル（ＴＴＮ７、ＴＴＮ８およびＴＴＮ９）３０４ａ、３０４ｂおよび３０４ｃを有する。図７は実施例に過ぎず、クローン化ビデオタイトルセットおよびクローン化タイトルの数は図示されるものより多いか、もしくは少なくてもよいことが認識されるであろう。また、オリジナルタイトルとクローン化タイトル双方を含む１つのビデオタイトルセットがあってもよい。
【００６９】
図７に示される実施例では、ビデオマネージャＶＭＧ３１０は１乃至ｓの言語に対する多くの言語フォルダ３１１１乃至３１１Ｓを有しており、これらの言語フォルダの各々は、タイトルメニュー用のプログラムチェーン（ＰＧＣ１）３１２１乃至３１２Ｓと、おそらくその他のメニュー用の１以上のさらなるプログラムチェーン（ＰＧＣｔ）３１３１乃至３１３Ｓと、ファントムメニュー用のプログラムチェーン（ＰＧＣｔ＋１）３１４１乃至３１４Ｓ（フォルダ３１１１と３１１Ｓおよび図示されているそれらの関連するプログラムチェーンのみ）とに関連づけられる。多くの言語フォルダが図７に示されるが、ＤＶＤの条件に依存して、１以上の言語フォルダがあってもよいし、またはなくてもよい。図７に示された実施例において、さらにプログラムグループおよび／またはセルがあるかもしれないが、ファントムメニュー３１４１乃至３１４Ｓに対するプログラムチェーン（ＰＧＣｔ＋１）は各々、１つのプログラムグループ３１５１乃至３１５Ｓと１つの論理セル３１６１乃至３１６Ｓとを有する。図７を単純するために、ビデオタイトルセット用のプログラムグループチェーンと、言語フォルダのその他のプログラムグループチェーン用のプログラムグループは図示されていない。
【００７０】
ファントムメニュー３１４１乃至３１４Ｓ用のプログラムチェーン（ＰＧＣｔ＋１）は各々ＶＭＧＭ  ＶＯＢＳ３２０内の同じＶＯＢ３２０ａに関連づけられてもよい。プログラムチェーンは、言語に依存するディスク上の個別領域に再生装置をナビゲートするように構成されてもよい。言語ユニットは、ＶＯＢ３２０ａの同じ物理セルを共有してもよい。
【００７１】
ファントムメニュープログラムチェーン（ＰＧＣｔ＋１）３１４１乃至３１４Ｓの各々は、ＤＶＤ規格が１つのメニュー当たり最大３６個のボタンを許容するという条件で、クローン化タイトル（図示される実施例では８個）の数と等しい数のファントムボタン３３１乃至３３８を有するファントムメニュー（プログラムチェーン（ＰＧＣｔ＋１）３１４１にのみ図示される）３３０１の対応する言語バージョンを提供する。ファントムボタンの各々は、そのファントムボタンを選択するリッパーを図７に示されるようなクローン化タイトルに対応する１つにジャンプさせるコマンドに関連づけられる。コマンドは、ジャンプＴＴｘコマンド（ここでｘはジャンプされるタイトルの数である）、例えば図７に示されるようにジャンプＴＴ１、ジャンプＴＴ６、ジャンプＴＴ７、ジャンプＴＴ２、ジャンプＴＴ８、ジャンプＴＴ９、ジャンプＴＴ３、ジャンプＴＴ５  ３３１ａ乃至３３８ａでもよく、またはＬｉｎｋＴａｉｌＰＧＣコマンドまたは（ＤＶＤ仕様によって）ボタンに関係づけられるのを可能にされたその他のナビゲーションコマンドでもよい。
【００７２】
図７に示される実施例では、第１の再生ＰＧＣ４００は、再生装置またはリッパーを選択された言語用のファントムメニュープログラムチェーンＰＧＣｔ＋１、例えばプログラムチェーンＰＧＣｔ＋１  ３１４１にジャンプさせる。この実施例では、ファントムメニューは、第１の再生ＰＧＣによって、オリジナルメインメニューが視聴者に表示される前に表示される短い無言のビデオクリップのように設計される。その他の色を用いることもできるが、一般にこのビデオクリップは全て黒いスクリーンを表示するであろう。例えば、ファントムボタンは視覚的に識別困難か、または見るまたは見つけるのが難しく、例えばファントムボタンはメニューと同じ色（この実施例では黒）でもよいので、視聴者の目に見えないであろう。ファントムメニューは、第１の再生ＰＧＣのコマンド表からコピーされたポストコマンドが実行され、最初に行くようにされた場所へ再生装置を連れて行った後、例えばこのポストコマンドは視聴者が通常選択することができるオリジナルメインメニューに再生装置をジャンプさせた後、短時間だけ、例えば０．４秒だけスクリーンに現われるように設計されている。全ての黒いファントムメニューとそのボタンの表示時間は非常に短いので、ファントムボタンに気づかない（ファントムボタンが黒い背景上で黒であるので）視聴者に印象がほとんどないか、全くなく、したがって１つも選択しようとしないであろう。しかしながら、ボタンがスクリーンに実際に表示される時間の長さは、ナビゲーション解析リッパーに考慮されず、これはこれによって裂け目（ｒｉｐ）の「重大な」部分としてファントムボタンによって参照されたタイトルを選択する。
【００７３】
ＤＶＤビデオ構造とナビゲーションデータに関する限り、クローン化タイトルは見えるが、オリジナルビデオタイトルのようにクローン化タイトルの物理セルはリッパーによるコピーの生成に有害な影響を与える、および／または得られるコピーを視聴不可能および／または再生不可能にさせるであろう。例えば、クローン化タイトルは、不正確またはスクランブルを掛けられた順序の正確な物理セルへのポイント；不正データを含む物理セルへのポイント；例えば上記で論じられた破壊データの形態の何れかを含む破壊的な特性を有する物理セルへのポイントの少なくとも１つであってもよい。いくつかの破壊的な特性、例えば変更されたディジタルサム値を持った領域は、リッパーを完全に無効にしてもよいし、またはリッパーのユーザが裂け目（ｒｉｐ）で終了するように劇的に遅くしてもよい。
【００７４】
図７に関して上述したように、１または複数のファントムボタンは背景と同一色でもよいし、それらがある１または複数のフレーム内に混ぜられたり、カモフラージュされてもよいし、さもなければ例えば上記で論じられるように表示されたフレームの端部周りの境界領域として規定され、目立たないよう提供されてもよい。また、本当または実際のメニューに１または複数のファントムボタンを追加し、その結果ファントムメニューの生成が必要とならないように任意の既存のメニュープログラムチェーンに１または複数のファントムボタンを追加することも可能である。別の実現性として、ファントムボタンが追加されるプログラムチェーンは、必ず必要ではなく、それに関連づけられた任意のＶＯＢ（すなわちプログラムチェーンは最初、上記で論じられるように、プログラムチェーン情報テーブル（ＰＧＣＩ）を単に含むダミーのプログラムチェーンである）を最初に有しており、すなわちプログラムチェーンはファントムボタンＶＯＢを有するに過ぎない。
【００７５】
ファントムボタンは、ＰＣＩパケット（図６を参照）、特にＮａｖＰａｃｋのＰＣＩ部分内のハイライト情報テーブルにファントムボタンを規定することによって、記録データのアセットの前、間または後に存在する任意の物理セルに追加されてもよい。そのようなファントムボタンは、上述したように任意の破壊領域または位置、例えば不正もしくは破壊タイトルまたはプログラムチェーンに連結されてもよく、これは例えば不正確またはスクランブルを掛けられた順序の正確な物理セルを指す；不正データを含む物理セルを指す；例えば上記で論じられた破壊データの形態の何れかを含む破壊的な特性を有する物理セルを指し、リッパーがリッピング処理の終りに導く不正確なパスに従うのを強いるか、または視聴不可能もしくは再生不可能なコピーを生成させる。
【００７６】
図８および図９は、ＤＶＤビデオゾーンの生成中に図１に示される装置によって実行された動作を説明するためのフローチャートとダイアグラムをそれぞれ示している。
【００７７】
ユーザがＤＶＤビデオゾーンが生成されるようにユーザインターフェース４を介してデータ処理装置２を指示するとき、制御部３は最初に、例えばユーザ入力に基づいてアセットが符号化されるかどうかまたは処理されるファイルがファイル受信部９１によって受信された画像ファイルまたはＤＤＰファイルセットであるかどうかをステップ０で決定する。アセットが符号化される場合、制御部３は一般に図８のステップ１でアセット受信部５によって受信される必要なアセットをユーザインターフェース４を介してユーザが提供するように促すであろう。次いで制御部３は、ユーザインターフェース４を介してユーザに促して、アセットが正しいデータフォーマット（例えばビデオ用のＭＰＥＧ２）であることをチェックしてもよく、さもなければステップ２で必要な符号化を達成するためにアセットエンコーダ６を起動するよう制御部３に命じてもよい。
【００７８】
制御部３は次いで図８のステップ３でユーザインターフェース４を介してユーザ指示の下でオーサラ７を制御し、彼らが望む方法でユーザ定義のチャプタとメニューおよびユーザ定義の１または複数のコンテンツデータへのナビゲーションパスを持ったアセットを組み立てるオーサリング処理を実行し、オーサラ７はユーザが選択および編制したアセットを多重化し、ユーザー指示に従ってナビゲーションデータおよび制御データを加え、コピープロテクタ８に画像ファイルまたはＶＯＢ、ＩＦＯ、ＢＵＰファイルを含むＶＩＤＥＯ＿ＴＳディレクトリを提供して画像ファイルまたはＤＤＰファイルセットを生成する。
【００７９】
ステップ０の応答がｎｏである場合、次いでステップ１ａでは、制御部３が画像ファイルあるいはＤＰＰファイルセットをコピープロテクタ８に供給させる。
【００８０】
ステップ４では、コピープロテクタ８は画像ファイル／ＤＤＰファイルセットにコピープロテクトを追加する。ステップ５では、コピープロテクタはマスタ生成部９に変更済の画像ファイルあるいはＤＤＰファイルセットを出力する。ステップ５ａでは、マスタ生成部９は、適切なＤＶＤ規格仕様に従ってコピープロテクトされた画像ファイルあるいはＤＰＰファイルセットを符号化する通常のプロセスを含む従来のマスタリングプロセスを実行するので、図９によって概略的に示されるように記録用のチャネル符号データを生成する。これにより、マスタ生成部９は、スクランブルなどの処理と、ＥＣＣ（エラー訂正符号）追加と、インタリーブおよび記録セクタへの製品コード生成（図９のＴ３、Ｔ４、Ｔ５およびＴ６）と、適切なＤＶＤ規格仕様に従ったＥＦＭプラス符号化（図９のＴ７）と、チャネルコーディング（図９のＴ８）などの処理をユーザーデータ（図９のＴ１）の各セクタ上で実行し、作製されたファイル（ＤＰＰファイルセット）を提供する。
【００８１】
マスタ生成部９は、遠隔に配置される複製装置１１にマスタデータファイル提供部１０を介して供給するためにコピープロテクトされたオーサリングファイル（ＤＰＰファイルセット）を含むマスタファイル、例えばデジタルリニアテープを生成する。別の実現性として、マスタファイルは、例えばローカルネットワークまたはインターネットであるネットワークを通じて複製装置に供給されてもよい。複製装置１１は、画像ファイルおよびガラスマスタ上の実際のセクタに論理セクタ番号をマップする物理セクタアドレスタグを記録するガラスマスタを生成する。次いで、このガラスマスタが使用されてスタンピングマスタを生成し、これから最終的なＤＶＤディスクが生成される（図９のＴ９）。
【００８２】
別の実現性としてまたはさらに、マスタファイルはローカルの記録部１２にステップ６で供給されてもよく、記録部１２は書き込み可能なＤＶＤディスク上に画像ファイルを記録し、光ディスク上の実際のセクタに物理セクタのアドレスタグを追加する。
【００８３】
破壊データは、破壊データの種類に依存してアセットの符号化に先立つステップ６０でで、またはコピープロテクト処理に先立ってステップ７０で、またはコピープロテクト処理の一部としてステップ４で追加されてもよい。別の実現性として、破壊データは、例えば記録部１２による最終的な記録処理中またはガラスマスタの生成中にディスクの１あるいは複数のセクタを故意に物理的に損傷することによって提供されてもよい。
【００８４】
図８のステップ４におけるコピープロテクタ８の動作の実施例はここで、図１０を参照して記載されるであろう。
【００８５】
図１０のステップ１０では、コピープロテクタは、図７に関して上記に論じられるようにＶＴＳがクローン化されているかどうかを決定する。この決定は、例えば予め保存された指示に従ってコピープロテクタによってなされるか、またはユーザインターフェース４を用いてユーザによって入力されたユーザ指示に応じてなされてもよい。
【００８６】
ステップ１０での応答がｙｅｓである場合、次いで図１０のステップ１１では、例えば図７に示される構造を生成し、このように変更済の記録データを保存または格納するために必要な回数コピープロテクタはＶＴＳとそのタイトルをクローン化する。
【００８７】
ステップ１２では、コピープロテクタは、ファントムボタンメニューが追加されるかどうかを決定する。この決定は、例えば予め保存された指示に従ってコピープロテクタによってなされてもよいし、またはユーザインターフェース４を用いてユーザによって入力されたユーザ指示に応じてなされてもよい。
【００８８】
ステップ１２の応答がｙｅｓである場合、次いでステップ１３ではコピープロテクタは予め保存された指示に従って、またはユーザインターフェース４を用いてユーザによって入力されたユーザ指示に応じて記録データにファントムメニューを追加する。このファントムメニューは、図７に関して上記に論じられるような言語フォルダで提供されてもよいし、または記録データ内のその他の場所に提供されてもよい。
【００８９】
ステップ１３の応答がｎｏである場合、ファントムボタンが既存プログラムチェーンに追加されているかどうかをコピープロテクタがステップ１４で決定する。この決定は、例えば予め保存された指示に従ってコピープロテクタによってなされてもよいし、またはユーザインターフェース４を用いてユーザによって入力されたユーザ指示に応じてなされてもよい。応答がｙｅｓである場合、次いでコピープロテクタは予め保存された指示またはユーザインターフェース４を用いてユーザによって入力されたユーザ指示に応じて１または複数のファントムボタンを追加する。図５に関して上記で論じられるように、コピープロテクタは、例えば、実際または本当のメニューに１または複数のファントムボタンを追加してもよく、例えばファントムボタンはフレームあるいはメニューの境界の細片あるいはピクセル領域として規定してもよい。ファントムボタンを規定するピクセルは、黒もしくは暗色、またはそれらが追加されるメニューにマージさせるか、もしくはメニュー内にカモフラージュさせるように規定されてもよい。別の実現性として、１または複数のファントムボタンはコンテンツデータまたはアセットのその他の場所に追加されてもよい。
【００９０】
上述したように、ファントムボタンはアセットの任意の実際または本当のメニューか、ファントムボタンを提供するために特に追加されたファントムメニューか、ＰＣＩパケット（図６を参照）内にファントムボタンを既定することによって記録データのアセットの前、間または後に存在するコンテンツデータを表面上表わす任意の物理セルか、またはこれらの任意の組み合わせに追加されてもよい。これらのファントムボタンは上述したように、破壊領域、例えば不正もしくは破壊タイトルまたはプログラムチェーンに連結されてもよく、これは例えば不正確またはスクランブルを掛けられた順序の正確な物理セルを指す；不正データを含む物理セルを指す；例えば上記で論じられた破壊データの形態の何れかを含む破壊的な特性を有する物理セルを指し、リッパーがリッピング処理の終りに導く不正確なパスに従うのを強いるか、または見れないもしくは再生できないコピーを生成させる。
【００９１】
ファントムボタンは、ＤＶＤビデオの視聴者が検出および／または選択するのを困難にする任意の外観を有するように規定されてもよい。例えば、上記に論じられるように、ファントムボタンは視覚的に識別不可能でもよいし、またはそれが配置される１または複数のビデオフレームの映像コンテンツと識別するのが困難でもよい。例えば、ファントムボタンは、１または複数のビデオフレームの背景と同一色もしくは類似色でもよいし、カモフラージュされてもよいし、さもなければビデオフレームまたはフレームに視覚的に隠されてもよい。別の実現性としてまたはさらに、ファントムボタンは視聴者の注意を引きつけない場所、例えばビデオフレーム境界に配置されてもよい。別の実現性としてまたはさらに、ファントムボタンは非常に狭い領域、例えば僅か１または２ピクセル幅を占有してもよい。別の実現性としてまたはさらに、ファントムボタンは視聴者がそれに応答することができないほど短い間、ファントムメニュー内もしくはファントムメニュー外に表示されるように規定されてもよい。後者の場合では、好ましくはボタン（またあればファントムメニュー）が視聴者の注意を引きつけない方法、例えば視聴者が識別するのが困難な色、サイズまたは位置によるボタンで表示されてもよい。
【００９２】
ファントムボタンはもちろんＤＶＤゾーンの位置を指さなければならない。任意の適切な位置が用いられてもよい。一般に、ファントムボタンは破壊もしくは不正な位置またはスクランブルを掛けられた順序または不正確な順序の正確なデータを指すであろう。通常、ファントムボタンはいくつかの記載の壊れたタイトル、例えば上記に論じられ、全内容が参照により本書に組み込まれる米国出願第１１，４８１，６０５号明細書に記載されているようなＶＴＳあるいはタイトルのクローニングまたはサチュレーション中に追加されたタイトルを指すであろう。
【００９３】
用語ボタンは視聴者に表示されるようにされた任意の目に見えるオブジェクトをいうよう本書で用いられ、それは制御データに関連づけられており、視聴者が遠隔またはユーザ入力デバイス（キーボードあるいはマウスなどのポインティングデバイスなど）を用いてそのボタンを選択するイベントで制御データに規定された動作または制御データに関連づけられた動作を再生装置に実行させる。ボタンは必ずしも通常のボタン形状を有する必要はなく、例えばボタンは必ずしも矩形である必要はない。
【００９４】
コピープロテクタは１または複数のファントムボタンまたは１または複数のファントムボタンを持つファントムメニューを提供する上述した方法の何れかを実行できてもよい。コピープロテクタがこれらの方法の１以上を実行できる場合、これらの方法の何れか、全てまたは選択された１つが１つのＤＶＤビデオに用いられてもよい。
【００９５】
図１に示されるように、生成装置１はオーサリング機能（アセット受信部５、アセットエンコーダ６およびオーサラ７）とファイル受信部９１の双方を有する。適切な場合にはこの装置がこれらのうち１つのみ、すなわちオーサリング機能またはファイル受信部９１の何れかを含んでもよい。
【００９６】
上述したように、コピープロテクタ機能はオーサラ内に提供されてもよく、その結果コピープロテクトが別個のステップを形成するのではなく、オーサリング処理の一部として実行される。
【００９７】
上記実施例では、記録媒体は、ＤＶＤまたはガラスマスタあるいはスタンピングマスタなどの前身である。記録媒体は、光ディスク（またはその前身）の別の形態またはその他の記録媒体でもよく、記録媒体に保存されたナビゲーションデータを用いて非逐次的方法でコンテンツデータにアクセスすることができる。このように、例えば磁気ディスクあるいは光磁気記録ディスクなどのデジタル記録媒体のその他の形態に本発明を適用してもよいことが当然に認識されるであろう。さらに、上述したように、記録媒体は中心軸に関してディスクをスピンするか、回転させることによって読み取られるディスクである。しかしながら、読み取り書き込みヘッドに対して回転させるのではなく、通過した経路に沿って移動させるＤｉｇｉｔａｌ  Ｌｉｎｅａｒ  Ｔａｐｅの形態のデジタル記録媒体に本発明を適用することもできる。
【図１】
2011510429.tif 000003
【図２】
2011510429.tif 000004
【図３】
2011510429.tif 000005
【図４】
2011510429.tif 000006
【図５】
2011510429.tif 000007
【図６】
2011510429.tif 000008
【図７】
2011510429.tif 000009
【図８】
2011510429.tif 000010
【図９】
2011510429.tif 000011
【図１０】
2011510429.tif 000012
【国際調査報告】
2011510429.tif 000013
2011510429.tif 000014
2011510429.tif 000015